(57)【要約】【課題】インナーケースを引出しとした段ボール製のアウターボックスとして有用な組立式横置き箱の提供。【解決手段】四角形の底板と、該底板の両側に形成された第１側板と、該第１側板と直交するよう前記底板の両側に形成された第２側板と、該第２側板の両側に形成された内側板および、前記第２側板に形成された折込み板と、前記第１側板の端縁に形成された折込み板とを備え、折りたたみに際し、前記一方の第２側板に形成された折込み板を折込み、該第２側板を前記底板上に折込んだ上、前記第２側板の内側板を前記第２側板上に折込み、前記一対の第１側板をその上に折込み、また前記他方の第２側板に形成された折込み板を折込み、前記第２側板の内側板を前記第２側板上に折込み、また前記第１側板および折込み板を前記底板の反対側に折込むようにしたことを特徴とする折りたたみ可能な組立式横置き箱。【選択図】図２
2014040262.tif 000002
【特許請求の範囲】
【請求項１】
四角形の底板と、該底板の両側にそれぞれ折り目を介して一体に形成された対向する一対の第１側板と、該一対の第１側板と直交するよう前記底板の両側にそれぞれ折り目を介して一体に形成された対向する一対の第２側板と、それぞれの第２側板の両側にそれぞれ折り目を介して一体に形成された内側板および、前記第２側板に折り目を介して一体に形成された第２側板折込み板と、前記第１側板の端縁に折り目を介して一体に形成された第１側板折込み板とを備え、
組立に際し、前記一対の第２側板を底板から立ち上げ、前記内側板を底板を囲むように折込むとともに、前記第２側板折込み板を内向きに折込み、また前記一対の第１側板を前記内側板に沿うように底板から立ち上げ、前記第１側板折込み板をそれぞれ内向きに折込んで前記内側板を挟み付けるよう組み付けることにより組み立てられる組立式横置き箱であり、
折りたたみに際し、前記一方の第２側板に折り目を介して一体に形成された第２側板折込み板を折り目で折込み、該第２側板を前記底板上に折り目で折込んだ上、前記第２側板の両側の内側板を折り目で前記第２側板上に折込むとともに、前記一対の第１側板をその上に折込み、また前記他方の第２側板に折り目を介して一体に形成された第２側板折込み板を折り目で折込み、前記第２側板の両側の内側板を折り目で前記第２側板上に折込み、
また前記第１側板および第１側板折込み板を前記底板の上に折込むようにしたことを特徴とする折りたたみ可能な組立式横置き箱。
【請求項２】
前記第２側板に折り目を介して一体に形成された第２側板折込み板は、縁取り状の細幅に形成され、かつその両側には延長片が付設され、前記第２側板折込み板をそれぞれ内向きに折込んで前記内側板とともに該延長片をも挟み付けるよう組み付けるようにしたことを特徴とする請求項１に記載の折りたたみ可能な組立式横置き箱。
【請求項３】
前記第２側板に折り目を介して一体に形成された第２側板折込み板は、前記第２側板とほぼ同じ形状に形成され、かつその両側には第２側板内側板が付設され、前記第２側板折込み板をそれぞれ内向きに折込んで前記内側板とともに該第２側板内側板をも挟み付けるように組み付けたことを特徴とする請求項１に記載の折りたたみ可能な組立式横置き箱。
【請求項４】
前記第２側板とほぼ同じ形状に形成された第２側板折込み板は、前記第２側板との間に補強板を介装した上で内向きに折込み、前記第２側板と第２側板折込み板との間で補強板を挟み付けるように組み付けたことを特徴とする請求項３に記載の折りたたみ可能な組立式横置き箱。
【請求項５】
前記第２側板の両側にそれぞれ折り目を介して一体に形成された内側板は、前記第２側板間の距離にほぼ等しいか、あるいは前記第２側板間の距離の半分の長さに形成され、前記第２側板間の距離にほぼ等しい場合は２重の構造に、前記第２側板間の距離の半分の長さにおいては１重の構造を有するようにしたことを特徴とする請求項１ないし４のいずれかに記載の折りたたみ可能な組立式横置き箱。
【請求項６】
前記一方の第２側板の両側にそれぞれ折り目を介して一体に形成された内側板は、その折り目位置に連結片が付設され、前記他方の第２側板の両側にそれぞれ折り目を介して一体に形成された内側板の折り目位置には前記連結片を差込む連結孔が形成され、前記連結片をそれぞれ組立後に前記第２側板から突出するよう立上げ、次の組立式横置き箱の連結孔に差込んで複数の組立式横置き箱を連結できるようにしたことを特徴とする請求項１ないし５のいずれかに記載の折りたたみ可能な組立式横置き箱。
【請求項７】
前記一対の第２側板の両側にそれぞれ折り目を介して一体に形成された内側板は、その折り目位置に別途用意した連結片を差込む連結孔が形成され、前記連結片をそれぞれ組立後に前記第２側板から突出するよう組み付け、次の組立式横置き箱の連結孔に差込んで複数の組立式横置き箱を連結できるようにしたことを特徴とする請求項１ないし５のいずれかに記載の折りたたみ可能な組立式横置き箱。
【請求項８】
前記第２側板折込み板および前記第１側板折込み板の折り目は、易折りたたみ手段により折りたたみ易くしてあることを特徴とする請求項１ないし７のいずれかに記載の折りたたみ可能な組立式横置き箱。
【請求項９】
前記易折りたたみ手段は、破線状の不連続な切込み、もしくは直線状の連続する切込み、型押しから選ばれたことを特徴とする請求項８に記載の折りたたみ可能な組立式横置き箱。
【請求項１０】
前記第２側板の一方の内側板の折り目には、所定長の長孔が設けてあり、前記第２側板の他方の内側板の端部には、前記長孔に対応する位置に差込み片が設けてあり、前記長孔に前記差込み片を係合して係止することができるようにしてあることを特徴とする請求項１ないし９のいずれかに記載の折りたたみ可能な組立式横置き箱。
【請求項１１】
天板本体の幅方向の両側に天板本体とほぼ等しい面積の一対の折込み板が折り目を介して一体に形成され、また長さ方向の両側には差込み片が折り目を介して一体に形成された補強天板であって、該補強天板の天板本体に前記一対の折込み板を折り返し、また長さ方向の両側の差込み片をほぼ垂直に立ち上げ、予め組み立てられた組立式横置き箱の両側の前記第１側板と内側板との隙間に前記差込み片を差込むことにより、前記補強天板を組立式横置き箱の上端に一体的に組み付けるようにしたことを特徴とする請求項１ないし１０のいずれかに記載の折りたたみ可能な組立式横置き箱。
【発明の詳細な説明】
【技術分野】
【０００１】
本発明は、ほぼ複層構造を有する組立式横置き箱に関し、なおかつ平たく折りたたむことができるようにした折りたたみ可能な組立式横置き箱を提供することを目的とするものである。
【背景技術】
【０００２】
従来、衣服や靴類、その他の種々の製品を梱包するのに使用される組立式箱は、組立時に接着剤やホチキス等により四辺に配置された箱の側壁部分が堅固に接着されるので、一度組み立てられたら展開することが困難で、組立工場からユーザーの元へ運搬する際や、倉庫で保管する際などに嵩張ってしまって搬送効率が悪いという問題があった。
また、引出しを出し入れするための外箱（アウター）として従来から存在するものは、重ねて使用するために金具等で補強する必要があった。
【０００３】
そこで、特開２００２−２０５７３４号公報（特許文献１参照）に示すように、四角形の底板と、前左右の本体部外側板と、本体部連結板と、前の本体部内側板とを有する箱部を備え、四角形の天板と、前左右の蓋部外側板と、蓋部連結板と、前の蓋部内側板とを有する蓋部を備え、箱部と蓋部が背面部外側片２４４を介して一体に形成され、背面部連結板を備える組立式箱であって、組立工程のロスが少なく、組立が容易な蓋部を有するものが提案されている。
【先行技術文献】
【特許文献】
【０００４】
【特許文献１】特開２００２−２０５７３４号公報
【発明の開示】
【発明が解決しようとする課題】
【０００５】
しかし、底板に折り目を介して一体に形成した対抗する一対の側板を三重構造とした本発明の組立式箱の場合には、上述のような従来技術を適用しても構造が複雑になってしまうので、従来技術を直ちに適用することは難しく、上述したように組立後に平板状に折り畳むことができずに、運搬時や保管時に嵩張ってしまうという問題があった。
【０００６】
本発明は、このような従来の技術の状況に鑑みて、組立工程のロスが少なく、組立が容易な、側板を少なくとも二重構造とし、底板を一重構造とした折りたたみ可能で、かつ小さく折りたためる折りたたみ可能な組立式横置き箱の提供を目的とする。
そして特に、インナーケースを引き出しとして使用するための段ボール製のアウターボックスとして有用な組立式横置き箱を提供しようとするものである。
【課題を解決するための手段】
【０００７】
上記従来の問題を解決するため本発明の折りたたみ可能な組立式横置き箱は、四角形の底板と、該底板の両側にそれぞれ折り目を介して一体に形成された対向する一対の第１側板と、該一対の第１側板と直交するよう前記底板の両側にそれぞれ折り目を介して一体に形成された対向する一対の第２側板と、それぞれの第２側板の両側にそれぞれ折り目を介して一体に形成された内側板および、前記第２側板に折り目を介して一体に形成された第２側板折込み板と、前記第１側板の端縁に折り目を介して一体に形成された第１側板折込み板とを備え、
組立に際し、前記一対の第２側板を底板から立ち上げ、前記内側板を底板を囲むように折込むとともに、前記第２側板折込み板を内向きに折込み、また前記一対の第１側板を前記内側板に沿うように底板から立ち上げ、前記第１側板折込み板をそれぞれ内向きに折込んで前記内側板を挟み付けるよう組み付けることにより組み立てられる組立式横置き箱であり、
折りたたみに際し、前記一方の第２側板に折り目を介して一体に形成された第２側板折込み板を折り目で折込み、該第２側板を前記底板上に折り目で折込んだ上、前記第２側板の両側の内側板を折り目で前記第２側板上に折込むとともに、前記一対の第１側板をその上に折込み、また前記他方の第２側板に折り目を介して一体に形成された第２側板折込み板を折り目で折込み、前記第２側板の両側の内側板を折り目で前記第２側板上に折込み、
また前記第１側板および第１側板折込み板を前記底板の上に折込むようにしたことを特徴とするものである。
【０００８】
本発明の折りたたみ可能な組立式横置き箱において、前記第２側板に折り目を介して一体に形成された第２側板折込み板は、縁取り状の細幅に形成され、かつその両側には延長片が付設され、前記第２側板折込み板をそれぞれ内向きに折込んで前記内側板とともに該延長片をも挟み付けるよう組み付けるようにしたことをも特徴とするものである。
【０００９】
本発明の折りたたみ可能な組立式横置き箱において、前記第２側板に折り目を介して一体に形成された第２側板折込み板は、前記第２側板とほぼ同じ形状に形成され、かつその両側には第２側板内側板が付設され、前記第２側板折込み板をそれぞれ内向きに折込んで前記内側板とともに該第２側板内側板をも挟み付けるように組み付けたことをも特徴とするものである。
【００１０】
本発明の折りたたみ可能な組立式横置き箱において、前記第２側板とほぼ同じ形状に形成された第２側板折込み板は、前記第２側板との間に補強板を介装した上で内向きに折込み、前記第２側板と第２側板折込み板との間で補強板を挟み付けるように組み付けたことをも特徴とするものである。
【００１１】
本発明の折りたたみ可能な組立式横置き箱において、前記第２側板の両側にそれぞれ折り目を介して一体に形成された内側板は、前記第２側板間の距離にほぼ等しいか、あるいは前記第２側板間の距離の半分の長さに形成され、前記第２側板間の距離にほぼ等しい場合は２重の構造に、前記第２側板間の距離の半分の長さにおいては１重の構造を有するようにしたことをも特徴とするものである。
【００１２】
本発明の折りたたみ可能な組立式横置き箱において、前記一方の第２側板の両側にそれぞれ折り目を介して一体に形成された内側板は、その折り目位置に連結片が付設され、前記他方の第２側板の両側にそれぞれ折り目を介して一体に形成された内側板の折り目位置には前記連結片を差込む連結孔が形成され、前記連結片をそれぞれ組立後に前記第２側板から突出するよう立上げ、次の組立式横置き箱の連結孔に差込んで複数の組立式横置き箱を連結できるようにしたことをも特徴とするものである。
【００１３】
本発明の折りたたみ可能な組立式横置き箱において、前記一対の第２側板の両側にそれぞれ折り目を介して一体に形成された内側板は、その折り目位置に別途用意した連結片を差込む連結孔が形成され、前記連結片をそれぞれ組立後に前記第２側板から突出するよう組み付け、次の組立式横置き箱の連結孔に差込んで複数の組立式横置き箱を連結できるようにしたことをも特徴とするものである。
【００１４】
本発明の折りたたみ可能な組立式横置き箱において、前記第２側板折込み板および前記第１側板折込み板の折り目は、易折りたたみ手段により折りたたみ易くしてあることをも特徴とするものである。
【００１５】
本発明の折りたたみ可能な組立式横置き箱において、前記易折りたたみ手段は、破線状の不連続な切込み、もしくは直線状の連続する切込み、型押しから選ばれたことをも特徴とするものである。
【００１６】
本発明の折りたたみ可能な組立式横置き箱において、前記第２側板の一方の内側板の折り目には、所定長の長孔が設けてあり、前記第２側板の他方の内側板の端部には、前記長孔に対応する位置に差込み片が設けてあり、前記長孔に前記差込み片を係合して係止することができるようにしてあることをも特徴とするものである。
【００１７】
本発明の折りたたみ可能な組立式横置き箱において、天板本体の幅方向の両側に天板本体とほぼ等しい面積の一対の折込み板が折り目を介して一体に形成され、また長さ方向の両側には差込み片が折り目を介して一体に形成された補強天板であって、該補強天板の天板本体に前記一対の折込み板を折り返し、また長さ方向の両側の差込み片をほぼ垂直に立ち上げ、予め組み立てられた組立式横置き箱の両側の前記第１側板と内側板との隙間に前記差込み片を差込むことにより、前記補強天板を組立式横置き箱の上端に一体的に組み付けるようにしたことをも特徴とするものである。
【発明の効果】
【００１８】
上述のように、本発明に係る折りたたみ可能な組立式横置き箱は、底板の上下あるいは左右にそれぞれ折り目を介して一体に形成されたそれぞれ対向する一対の側板部分は、搬送時に負荷がかかる部分が強固な構造となっており、衣服や靴類、その他の種々の製品を梱包するのに非常に便利なものとなっている。
また２段以上に積み上げる場合、金具等で補強する必要がなく、また連結したときの強度も十分である。
【００１９】
また、部品点数が削減でき、かつ組立工程が簡素化されるのでコストダウンが図れる。
しかも、単純な折曲加工のみにより箱を組み立てることができるので、マニュアルさえあれば誰でも簡単に組み立てることが可能である。
【００２０】
さらに、運搬や保管などをする際に、展開状態から簡単に平板状に折りたたむことができ、かつ折りたたんだ状態がコンパクトなので、搬送に便利なだけでなく、商品として店頭に並べる場合にも場所をとらないので大きなメリットを有している。
【００２１】
展開状態から平板状に折りたたむ場合の折り目も、ほとんど組立式横置き箱の強度には影響のない部位に形成してあるので、組立状態で運搬や保管などをする際にも強度上および外観上の問題はなんら生じない。
【図面の簡単な説明】
【００２２】
【図１】本発明に係る折りたたみ可能な組立式横置き箱の第１の実施形態を示す展開図である。
【図２】その斜視図である。
【図３】その組立工程を示し、第２側板の一方を立ち上げた状態を示す斜視図である。
【図４】第２側板の他方を立ち上げた状態を示す斜視図である。
【図５】第２側板の他方に設けた両側の内側板を内向きに折込んだ状態を示す斜視図である。
【図６】第２側板の一方に設けた片方の内側板を内向きに折込みつつある状態を示す斜視図である。
【図７】第２側板の一方に設けた片方の内側板を内向きに折込んだ状態を示す斜視図である。
【図８】第２側板の一方に設けた他方の内側板を内向きに折込んだ状態を示す斜視図である。
【図９】第２側板の端辺の第２側板折込み板の両側の延長片を外向きに折返し状態を示す斜視図である。
【図１０】その状態で第２側板折込み板および延長片を内向きに折込んだ状態を示す斜視図である。
【図１１】第１側板の一方を立ち上げた状態を示す斜視図である。
【図１２】第１側板の一方の第１側板折込み板を内向きに折込んだ状態を示す斜視図である。
【図１３】第１側板の他方を立ち上げ、第１側板折込み板を内向きに折込んだ状態を示す斜視図である。
【図１４】単体の組立式横置き箱の使用状態を示す斜視図である。
【図１５】組立式横置き箱の上面の両側から連結片を立ち上げた状態を示す斜視図である。
【図１６】組立式横置き箱上に次の組立式横置き箱を搭載しようとする状態を示す斜視図である。
【図１７】組立式横置き箱上に次の組立式横置き箱を搭載した状態を示す斜視図である。
【図１８】組立式横置き箱を上下４段に連結した状態の斜視図である。
【図１９】本実施形態に係る折りたたみ可能な組立式横置き箱の折りたたみ工程を示し、一方の第２側板の端辺の第２側板折込み板を内向きに折込んだ状態を示す斜視図である。
【図２０】第２側板折込み板の延長片をさらに折込んだ状態の斜視図である。
【図２１】一方の第２側板を内向きに折込んだ状態の斜視図である。
【図２２】一方の第２側板の内側板を折返した状態の斜視図である。
【図２３】第１側板を折込んだ状態を示す斜視図である。
【図２４】他方の第２側板の内側板および第２側板折込み板の延長片を折込んだ状態の斜視図である。
【図２５】一方の第２側板および底板を他方の第２側板の裏側に折返した状態の斜視図である。
【図２６】折りたたみ工程の完成状態を示す斜視図である。
【図２７】本発明に係る折りたたみ可能な組立式横置き箱の第２の実施形態を示す展開図である。
【図２８】その斜視図である。
【図２９】その組立工程を示し、第２側板の一方を立ち上げた状態を示す斜視図である。
【図３０】第２側板の他方を立ち上げた状態を示す斜視図である。
【図３１】第２側板の両側の内側板を内向きに折込んだ状態を示す斜視図である。
【図３２】第２側板折込み板の両側の延長片を外向きに折返した状態を示す斜視図である。
【図３３】その状態で第２側板折込み板を内向きに折込んだ状態を示す斜視図である。
【図３４】第１側板の両方を立ち上げた状態を示す斜視図である。
【図３５】第１側板の両方の第１側板折込み板を内向きに折込んだ状態を示す斜視図である。
【図３６】単体の組立式横置き箱の使用状態を示す斜視図である。
【図３７】組立式横置き箱の上面の両側から連結片を立ち上げた状態を示す斜視図である。
【図３８】組立式横置き箱上に次の組立式横置き箱を搭載した状態を示す斜視図である。
【図３９】組立式横置き箱を上下４段に連結した状態の斜視図である。
【図４０】本実施形態に係る折りたたみ可能な組立式横置き箱の折りたたみ工程を示し、一方の第２側板の端辺の第２側板折込み板を内向きに折込んだ状態を示す斜視図である。
【図４１】第２側板折込み板の延長片をさらに折込んだ状態の斜視図である。
【図４２】一方の第２側板を内向きに折込んだ状態の斜視図である。
【図４３】一方の第２側板の内側板を折返した状態の斜視図である。
【図４４】第１側板を折込んだ状態を示す斜視図である。
【図４５】他方の第２側板の内側板および第２側板折込み板の延長片を折込んだ状態を示す斜視図である。
【図４６】一方の第２側板および底板を他方の第２側板の裏側に折返した状態の斜視図である。
【図４７】折りたたみ工程の完成状態を示す斜視図である。
【図４８】本発明に係る折りたたみ可能な組立式横置き箱の第３の実施形態を示す展開図である。
【図４９】その斜視図である。
【図５０】その組立工程を示し、第２側板の一方を立ち上げた状態を示す斜視図である。
【図５１】第２側板の内側に補強板をあてがった状態を示す斜視図である。
【図５２】第２側板と第２側板折込み板で補強板を挟み込んだ状態を示す斜視図である。
【図５３】第２側板の他方を立ち上げ、第２側板と第２側板折込み板で補強板を挟み込んだ状態を示す斜視図である。
【図５４】第２側板折込み板の一方の内側板を内向きに折込んだ状態を示す斜視図である。
【図５５】第２側板の一方に設けた内側板をその外側に内向きに折込んだ状態を示す斜視図である。
【図５６】同様にして第２側板の他方を折込んだ状態を示す斜視図である。
【図５７】第１側板の一方を立ち上げた状態を示す斜視図である。
【図５８】第１側板折込み板を前記内側板を挟み付けるように内向きに折込んだ状態を示す斜視図である。
【図５９】第２側板折込み板の他方の内側板を内向きに折込み、第２側板の一方に設けた内側板をその外側に内向きに折込んだ状態を示す斜視図である。
【図６０】第１側板の他方を立ち上げた状態を示す斜視図である。
【図６１】第１側板折込み板の他方を前記内側板を挟み付けるように内向きに折込んだ状態を示す斜視図である。
【図６２】組立式横置き箱の組立完了時の斜視図である。
【図６３】単体の組立式横置き箱の使用状態を示す斜視図である。
【図６４】組立式横置き箱の上面の両側から連結片を立ち上げ、次の組立式横置き箱を搭載しようとする状態を示す斜視図である。
【図６５】組立式横置き箱上に次の組立式横置き箱を搭載した状態を示す斜視図である。
【図６６】本実施形態に係る折りたたみ可能な組立式横置き箱の折りたたみ工程を示し、第２側板の両側の内側板を内向きに折込んだ状態を示す斜視図である。
【図６７】第２側板の端辺の第２側板折込み板を内向きに折込んだ状態を示す斜視図である。
【図６８】第２側板折込み板の内側板を折込んだ状態の斜視図である。
【図６９】第１側板を折込んだ状態の斜視図である。
【図７０】折りたたみが完成した状態の斜視図である。
【図７１】本発明に係る折りたたみ可能な組立式横置き箱の第３の実施形態の変形例を示す展開図である。
【図７２】最終の組立段階を示し、前記第１側板を前記第１側板折込み板とともに前記内側板に沿うように底板から立ち上げようとする状態の斜視図である。
【図７３】組立式横置き箱の使用状態を示す斜視図である。
【図７４】別途用意した連結片を連結孔に差込む状態を示す斜視図である。
【図７５】別の組立式横置き箱の前記連結孔を前記連結片に差込む状態を示す斜視図である。
【図７６】２段の組立式横置き箱の完成状態を示す斜視図である。
【図７７】本発明に係る折りたたみ可能な組立式横置き箱に使用する補強天板の展開図である。
【図７８】その斜視図である。
【図７９】天板本体に一方の折込み板を折込んだ状態の斜視図である。
【図８０】天板本体に他方の折込み板を折込んだ状態の斜視図である。
【図８１】両側の差込み片をほぼ垂直に立ち上げた状態の斜視図である。
【図８２】補強天板の差込み片を予め組み立てられた組立式横置き箱の両側の前記第１側板と内側板との隙間に差込む状態を示す斜視図である。
【図８３】補強天板を組立式横置き箱に組み付けた状態の斜視図である。
【図８４】２段に組み付けた組立式横置き箱の上端部分に、前記補強天板を組み付けた状態を示す斜視図である。
【発明を実施するための形態】
【００２３】
次に、本発明に係る折りたたみ可能な組立式横置き箱の第１の実施形態を図１〜図２８について説明する。それぞれ図１〜図１８は組立式横置き箱の組立工程を、図１９〜図２８は組立式横置き箱の折りたたみ工程を示すものである。
【実施例１】
【００２４】
図１および図２において、本実施例に係る折りたたみ可能な組立式横置き箱１０は、四角形の底板１１と、該底板１１の両側にそれぞれ折り目１１ａ，１１ａを介して一体に形成された対向する一対の第１側板１２，１２と、前記第１側板１２，１２の端部にそれぞれ折り目１２ａ，１２ａを介して一体に形成された端辺に係合突起１９ａを設けた第１側板折込み板１９と、前記底板１１に設けた前記第１側板１２，１２間の対向する辺にそれぞれ折り目１１ｂ，１１ｃを介して一体に形成された第２側板１５，１６と、それぞれの第２側板１５，１６の両側にそれぞれ折り目１５ａ，１５ａ，１６ａ，１６ａを介して一体に形成された内側板１７−１，１７−２と、前記第２側板１５，１６の側縁に折り目１８ａを介して一体に形成された第２側板折込み板１８とを備えている。
【００２５】
本実施例の折りたたみ可能な組立式横置き箱１０は、前記第２側板１５の内側板１７−１の折り目１５ａ，１５ａの上部に所定長の長孔１７ａが、前記第２側板１６内側板１７−２の折り目１６ａ，１６ａには所定の間隔で一対の所定長の長孔１７ｃがそれぞれ設けてあり、前記第２側板１５の内側板１７−１の端部に突設した差込み片１７ｄを第２側板１６側の内側板１７−２の折り目１６ａ，１６ａの一対の所定長の長孔１７ｃに係合して係止することができるようにしたものである。
したがって、この実施例における内側板１７−１，１７−２は２重の構造となる。
図において１７ｂは、第２側板１６側の内側板１７−２の端部に形成した係合突起であり、前記第２側板１５の内側板１７−１の折り目１５ａ，１５ａの上部に設けた長孔１７ａに係合して係止することができるようにしたものである。
【００２６】
本実施例の折りたたみ可能な組立式横置き箱において、前記第２側板１５，１６に折り目を介して一体に形成された第２側板折込み板１８は、その両側を延長した延長片１８ｂが付設され、前記第１側板折込み板１９をそれぞれ内向きに折込んで前記内側板１７−１，１７−２とともに該延長片１８ｂをも挟み付けるようして組み付けることができるようにしたものである。
【００２７】
また、前記内側板１７−１の折り目１５ａ，１５ａの中央にはやや幅広の連結孔２０ｂが形成され、また前記内側板１７−２の折り目１６ａ，１６ａの中央にはフック状の連結片２０ａが切抜き可能に設けてあり、該連結片２０ａを立ち上げて次の組立式横置き箱１０の前記連結孔２０ｂに係合して前記組立式横置き箱１０を順次搭載することができるようにしたものである。
【００２８】
次に、前記組立式横置き箱１０の組立工程について説明する。
組立に際しては図３に示すように、先ず前記一対の第２側板１５，１６の片方の第２側板１５を折り目１１ｂを介して底板１１から立ち上げ、図４に示すように他方の第２側板１６も折り目１１ｃを介して立ち上げる。
次いで図５に示すように、前記第２側板１６の両側の内側板１７−２を折り目１６ａ，１６ａを介して内向きに折込む。その際、第２側板１６側の内側板１７−２の端部に形成した係合突起１７ｂは、前記第２側板１５の内側板１７−１の折り目１５ａ，１５ａの上部に設けた長孔１７ａに係合して係止される。
【００２９】
その後図６に示すように、前記第１側板１５の両側の内側板１７−１も折り目１５ａ，１５ａを介して内向きに折込む。その際、図７および図８に示すように、前記第２側板１５の内側板１７−１の端部に突設した差込み片１７ｄを第２側板１６側の内側板１７−２の折り目１６ａ，１６ａの一対の所定長の長孔１７ｃに係合して係止する。
【００３０】
次に図９に示すように、前記第２側板１５，１６に折り目を介して一体に形成された第２側板折込み板１８の両側を延長した延長片１８ｂが外向きに折込まれ、図１０に示すように前記第２側板折込み板１８をそれぞれ内向きに折込むと、前記延長片１８ｂは内側板（１７−２）の内側に保持される。
【００３１】
次いで図１１に示すように、前記一対の第１側板１２，１２の一方を前記内側板１７−１に沿うように底板１１から立ち上げ、図１２に示すように前記第１側板折込み板１９を内向きに折込んで前記内側板１７−１（，１７−２）および延長片１８ｂを挟み付けるよう組み付ける。その際、前記係合突起１９ａは前記第２側板折込み板１８の両側を延長した延長片１８ｂの折り目位置に設けた凹溝１９ｂに係合して係止される。
【００３２】
そして図１３に示すように、前記一対の第１側板１２，１２の他方も前記内側板１７−１に沿うように底板１１から立ち上げ、前記第１側板折込み板１９を内向きに折込んで前記内側板（１７−１，１７−２）および延長片（１８ｂ）を挟み付けるよう組み付けることにより組立工程は完了する。
図１４は組み立てが完了した折りたたみ可能な組立式横置き箱１０の使用状態を示すものである。
【００３３】
本実施例の組立式横置き箱１０は、上下に積み重ねて多段の横置き箱として使用することができ、図１５から図１８はその積み重ね工程を示すものである。
すなわち、図１５に示すように前記内側板１７−２の折り目１６ａ，１６ａの中央に設けたフック状の連結片２０ａを切抜いて立ち上げ、図１６および図１７に示すように次の組立式横置き箱１０の前記連結孔２０ｂに係合する。このように前記組立式横置き箱１０を順次搭載すれば、図１８に示すような４段の組立式横置き箱１０が完成する。もちろん、１段から複数段まで自在に組み付けて使用することができる。１０ａは引出しである。
【００３４】
次に、前記組立式横置き箱１０の折りたたみ工程について説明する。
折りたたみに際しては、図１および図２の展開状態から、図１９に示すように先ず前記第２側板１５に折り目を介して一体に形成された第２側板折込み板１８を内向きに折込み、次いで図２０に示すように第２側板折込み板１８の両側を延長した延長片１８ｂをその上に折込む。
【００３５】
その状態で図２１に示すように、第２側板１５を前記第２側板折込み板（１８）とともに折り目１１ｂで前記底板１１の片面に重なるように折りたたみ、その上で図２２に示すように、前記第２側板（１５）の前記内側板１７−１を第２側板（１５）上に折り返す。
そして、図２３に示すように、前記内側板（１７−１，１７−２）の上に第１側板１２，１２を折込む。
【００３６】
次に、図２４に示すように、前記第２側板（１６）の前記内側板１７−２を第２側板（１６）上に折込み、第２側板折込み板１８上にその両側を延長した延長片（１８ｂ）を折り返す。次いで図２５に示すように一方の第２側板（１５）および底板（１１）を他方の第２側板（１６）の裏側に折返す。
こうすることにより、前記組立式横置き箱１０は図２６に示すように、前記内側板（１７−１，１７−２）および前記第２側板折込み板（１８）を含めて平板状でかつ非常にコンパクトに折りたたむことができる。
【００３７】
以上の構成からなる本発明の折りたたみ可能な組立式横置き箱は、運搬や保管などをする際に、展開状態から簡単に平板状に折りたたむことができ、かつ折りたたんだ状態が非常にコンパクトなので、搬送に便利なだけでなく、例えばこれを商品として店頭に並べる場合にも場所をとらないので大きなメリットを発揮する。
また、展開状態から平板状に折りたたむ場合の折り目も、ほとんど組立式横置き箱の強度には影響のない部位に形成してあるので、組立状態で運搬や保管などをする際にも強度上の問題はなんら生じない。
【００３８】
次に、本発明に係る折りたたみ可能な組立式横置き箱の第２の実施形態を図２７〜図４７について説明する。それぞれ図２７〜図３９は組立式横置き箱の組立工程を、図４０〜図４７は組立式横置き箱の折りたたみ工程を示すものである。
【実施例２】
【００３９】
図２７および図２８において、本実施例に係る折りたたみ可能な組立式横置き箱３０は、四角形の底板３１と、該底板３１の両側にそれぞれ折り目３１ａ，３１ａを介して一体に形成された対向する一対の第１側板３２，３２と、前記第１側板３２，３２の端部にそれぞれ折り目３２ａ，３２ａを介して一体に形成された端辺に係合突起３９ａを設けた第１側板折込み板３９と、前記底板３１に設けた前記第１側板３２，３２間の対向する辺にそれぞれ折り目３１ｂ，３１ｃを介して一体に形成された第２側板３５，３６と、それぞれの第２側板３５，３６の両側にそれぞれ折り目３５ａ，３５ａ，３６ａ，３６ａを介して一体に形成された、前記第２側板３５，３６間の距離の半分の長さの内側板３７−１，３７−２と、前記第２側板３５，３６の側縁に折り目３８ａを介して一体に形成された第２側板折込み板３８とを備えている。
【００４０】
本実施例の折りたたみ可能な組立式横置き箱３０は、前記第２側板３５の内側板３７−１の端部に、外向きに拡がるテーパ片３７ｂが突設してあり、他方前記第２側板３６の内側板３７−２の端部には前記テーパ片３７ａに対応する形状で、やや小さい面積の切欠き３７ｃが設けてある。したがって、前記第２側板３５，３６の両側の内側板３７−１，３７−２の先端を互いに突き合わせた状態で、前記第２側板３５の内側板３７−１の端部に突設したテーパ片３７ａを第２側板３６側の内側板３７−２の端部に形成した切欠き３７ｂに係合して係止することができるようにしたものである。
したがって、この実施例における内側板３７−１，３７−２は１重の構造となる。
【００４１】
本実施例の折りたたみ可能な組立式横置き箱において、前記第２側板３５，３６に折り目を介して一体に形成された第２側板折込み板３８は、その両側を延長した延長片３８ｂが付設され、前記第１側板３２，３２の前記第１側板折込み板３９をそれぞれ内向きに折込んで前記内側板３７−１，３７−２とともに該延長片３８ｂをも挟み付けるようして組み付けることができるようにしたものである。
【００４２】
また、前記内側板３７−１の折り目３５ａ，３５ａの中央にはやや幅広の連結孔４０ｂが形成され、また前記内側板３７−２の折り目３６ａ，３６ａの中央にはフック状の連結片４０ａが切抜き可能に設けてあり、該連結片４０ａを立ち上げて次の組立式横置き箱３０の前記連結孔４０ｂに係合して前記組立式横置き箱３０を順次搭載することができるようにしたものである。
【００４３】
次に、前記組立式横置き箱３０の組立工程について説明する。
組立に際しては図２９に示すように、先ず前記第２側板３５を折り目３１ｂを介して底板３１から立ち上げ，図３０に示すように、前記第２側板３６を折り目３１ｃを介して底板３１から立ち上げる。
次いで図３１に示すように、前記第２側板３５，３６の両側の内側板３７−１，３７−２を折り目３５ａ，３５ａ，３６ａ，３６ａを介して内向きに折込む。その際、前記第２側板３５，３６の両側の内側板３７−１，３７−２は、その先端を互いに突き合わせた状態において、前記第２側板３５の内側板３７−１の端部に突設したテーパ片３７ａを第２側板３６側の内側板３７−２の端部に形成した切欠き３７ｂに係合して係止することができる。
【００４４】
次に図３２に示すように、前記第２側板３５，３６に折り目を介して一体に形成された第２側板折込み板３８の両側を延長した延長片３８ｂを外向きに折込み、図３３に示すように前記第２側板折込み板３８をそれぞれ内向きに折込むと、前記延長片３８ｂは内側板３７−１，３７−２の内側に保持される。
【００４５】
次いで図３４に示すように、前記一対の第１側板３２，３２を前記内側板３７−１，３７−２に沿うように底板３１から立ち上げ、図３５に示すように前記第１側板折込み板３９を内向きに折込んで前記内側板３７−１，３７−２および延長片（３８ｂ）を挟み付けるよう組み付けることにより組立工程は完了する。
その際、前記係合突起３９ａは前記第２側板折込み板３８の両側を延長した延長片３８ｂの折り目位置に設けた凹溝３９ｂに係合して係止される。
図３６は組み立てが完了した折りたたみ可能な組立式横置き箱３０の使用状態を示すものである。
【００４６】
本実施例の組立式横置き箱３０は、上下に積み重ねて多段の横置き箱として使用することができ、図３７から図３９はその積み重ね工程を示すものである。
すなわち、図３７に示すように前記内側板３７−２の折り目３６ａ，３６ａの中央に設けたフック状の連結片４０ａを切抜いて立ち上げ、図３８に示すように次の組立式横置き箱３０の前記連結孔４０ｂに係合する。このように前記組立式横置き箱３０を順次搭載すれば、図３９に示すような４段の組立式横置き箱３０が完成する。もちろん、１段から複数段まで自在に組み付けて使用することができる。３０ａは引出しである。
【００４７】
次に、前記組立式横置き箱３０の折りたたみ工程について説明する。
折りたたみに際しては、図２７および図２８の展開状態から、図４０に示すように先ず前記第２側板３５に折り目を介して一体に形成された第２側板折込み板３８を内向きに折込み、次いで図４１に示すように第２側板折込み板３８の両側を延長した延長片３８ｂをその上に折込む。
【００４８】
その状態で図４２に示すように、第２側板３５を前記第２側板折込み板３８とともに折り目３１ｂで前記底板３１の片面に重なるように折りたたみ、その上で図４３に示すように、前記第２側板（３５）の前記内側板３７−１を第２側板（３５）上に折り返す。
そして、図４４に示すように、前記内側板（３７）の上に第１側板３２，３２を折込む。
【００４９】
次に、図４５に示すように、前記第２側板３６に折り目を介して一体に形成された内側板３７−２を内向きに折込むとともに、第２側板折込み板３８の延長片３８ｂも折込む。次いで図４６に示すように一方の第２側板３５および底板３１を他方の第２側板３６の裏側に折返すことにより、前記組立式横置き箱３０は図４７に示すように、前記内側板（３７−１，３７−２）および前記第２側板折込み板（３８）を含めて平板状でかつ非常にコンパクトに折りたたむことができる。
【００５０】
本発明に係る折りたたみ可能な組立式横置き箱の第３の実施形態を図４８〜図７０について説明する。それぞれ図４８〜図６５は組立式横置き箱の組立工程を、図６６〜図７０は組立式横置き箱の折りたたみ工程を示すものである。
【実施例３】
【００５１】
図４８および図４９において、本実施例に係る折りたたみ可能な組立式横置き箱５０は、四角形の底板５１と、該底板５１の両側にそれぞれ折り目５１ａ，５１ａを介して一体に形成された対向する一対の第１側板５２，５２と、前記第１側板５２，５２の端部にそれぞれ折り目５２ａ，５２ａを介して一体に形成された端辺に係合突起５９ａを設けた、前記第１側板５２，５２とほぼ等しい長さの第１側板折込み板５９と、前記底板５１に設けた前記第１側板５２，５２間の対向する辺にそれぞれ折り目５１ｂ，５１ｃを介して一体に形成された第２側板５５，５６と、それぞれの第２側板５５，５６の両側にそれぞれ折り目５５ａ，５５ａ，５６ａ，５６ａを介して一体に形成された、前記第２側板５５，５６間の距離の半分の長さの内側板５７−１，５７−２と、前記第２側板５５，５６の側縁に折り目５８ａを介して一体に形成された、前記第２側板５５，５６の幅とほぼ等しい幅の第２側板折込み板５８とを備えている。５７−３はこの第２側板折込み板５８の両側に折り目５８ｂを介して一体に形成された内側板、５７−３ａは前記折り目５８ｂの端部に設けた切込みである。
【００５２】
本実施例の折りたたみ可能な組立式横置き箱５０は、前記第２側板５５の内側板５７−１と第２側板５６の内側板５７−２は互いに突き合う長さに形成してあり、また前記第２側板折込み板５８の両側に設けた内側板５７−３も互いに突き合う長さに形成してある。したがって、前記第２側板５５，５６および第２側板折込み板５８をそれぞれ折込んだうえ、前記第２側板５５，５６の両側の内側板５７−１，５７−２の先端、および前記第２側板折込み板５８の両側の内側板５７−３を互いに突き合わせた状態で、前記第１側板５２，５２を外側に立ち上げ、また前記第１側板折込み板５９を内側に折込んで前記係合突起５９ａを前記切込み５７−３ａに係合して係止することができるようにしたものである。
したがって、この実施例における内側板５７−１，５７−２，５７−３は２重の構造となる。
６１は前記第２側板５５，５６と前記第２側板折込み板５８との間に挟み込む補強板である。
【００５３】
また、前記第２側板５５の折り目５５ａ，５５ａの中央には連結片６０ａが切抜き可能に設けてあり、また前記内側板５７−２の折り目５６ａ，５６ａの中央には連結孔６０ｂが形成され、該連結片６０ａを立ち上げて次の組立式横置き箱５０の前記連結孔６０ｂに係合して前記組立式横置き箱５０を順次搭載することができるようにしたものである。
【００５４】
次に、前記組立式横置き箱５０の組立工程について説明する。
組立に際しては図５０に示すように、先ず前記第２側板５５を折り目５１ｂを介して底板５１から立ち上げる。
次いで図５１に示すように、前記第２側板５５の内側に補強板６１をあてがい、図５２に示すように、折り目５８ａで前記第２側板折込み板５８を補強板６１を挟むように折込む。
同様に、図５３に示すように前記第２側板５６を折り目５１ｃを介して底板５１から立ち上げた上、前記第２側板５６の内側に補強板６１をあてがい、折り目５８ａで前記第２側板折込み板５８を折込み、補強板６１を挟み付ける。
【００５５】
その後、図５４に示すように、前記第２側板折込み板５８の一方の内側板５７−３を折り目５８ｂを介して内向きに折込み、図５５に示すように、前記第２側板５５の一方の内側板５７−１を折り目５５ａを介して前記内側板５７−３の外側に沿うように折込む。
同様に、図５６に示すように、前記第２側板５６端部の第２側板折込み板５８の一方の内側板５７−３を折り目５８ｂを介して内向きに折込んだ上、前記第２側板５６の一方の内側板５７−２を折り目５６ａを介して前記内側板５７−３の外側に沿うように折込む。
【００５６】
図５７に示すように、前記第２側板５５，５６の片側の一対の内側板５７−３および内側板５７−１，５７−２をその先端を互いに突き合わせた状態において、前記第１側板５２を前記第１側板折込み板５９とともに前記内側板５７−１，５７−２に沿うように底板５１から立ち上げ、図５８に示すように前記第１側板５２の第１側板折込み板５９を折り目５２ａを介して内向きに折込んで前記内側板（５７−１，５７−２）および（５７−３）を挟み付ける。その際、前記係合突起５９ａを前記切込み５７−３ａに係合して係止される。
また、図５９に示すように、前記第２側板５５，５６端部の第２側板折込み板５８の他方の内側板５７−３を内向きに折込んだ上、前記第２側板５５，５６の他方の内側板５７−１，５７−２を前記内側板５７−３の外側に沿うように折込む。
そして、図６０に示すように、前記第１側板５２を前記第１側板折込み板５９とともに前記内側板（５７−１，５７−２）に沿うように折り目５１ａを介して底板５１から立ち上げ、図６１に示すように前記第１側板折込み板５９を折り目５２ａを介して内向きに折込んで前記内側板（５７−１，５７−２）および（５７−３）を挟み付ける。その際、前記係合突起５９ａを前記切込み（５７−３ａ）に係合して係止することにより組立工程は完了する。
図６２は組み立てが完了した折りたたみ可能な組立式横置き箱５０を示し、図６３にその使用状態を示すものである。
【００５７】
本実施例の組立式横置き箱５０は、上下に積み重ねて多段の横置き箱として使用することができ。図６４および図６５はその積み重ね工程を示すものである。
すなわち、図６４に示すように前記内側板（５７−１）の折り目（５５ａ，５５ａ）の中央に設けた連結片６０ａを切抜いて立ち上げ、図６５に示すように次の組立式横置き箱５０の前記内側板（５７−２）の折り目（５６ａ，５６ａ）の中央に設けた前記連結孔６０ｂに係合する。
【００５８】
次に、前記組立式横置き箱５０の折りたたみ工程について説明する。
折りたたみに際しては、図４８および図４９の展開状態から、図６６に示すように先ず前記第２側板５５の両側の内側板５７−１を内向きに折込んだ上、図６７に示すように前記第２側板５５に折り目を介して一体に形成された第２側板折込み板５８を内向きに折込み、次いで図６８に示すように第２側板折込み板５８の両側を延長した内側板５７−３を内向きに折込む。
【００５９】
その状態で図６９に示すように、前記底板５１の上に第１側板５２，５２を折りたたむことにより、前記組立式横置き箱５０は図７０に示すように、前記内側板（５７−１，５７−２，５７−３）および前記第２側板折込み板（５８）を含めて平板状でかつ非常にコンパクトに折りたたむことができる。
【００６０】
本発明に係る折りたたみ可能な組立式横置き箱の第３の実施形態の変形例を、図７１〜図７６について説明する。
図７１に示すようにこの変形例は、組立式横置き箱５０の連結片６０ｃをあらかじめ別個のものとして用意したものであり、前記第３の実施形態における連結片６０ａのあった箇所を連結孔６０ｂとしたものである。
そして、図７２に示すように、前記第１側板５３を前記第１側板折込み板５９とともに前記内側板５７−１，５７−２に沿うように底板５１から立ち上げ、前記第１側板折込み板５９を内向きに折込んで前記内側板５７−１，５７−２および５７−３を挟み付ける。その際、前記連結孔６０ｂは前記第１側板５２の内側に配置されている。
図７３は組立式横置き箱５０の使用状態を示し、図７４に示すように前記連結孔６０ｂに連結片６０ｃを差込んだ上、図７５に示すように別の組立式横置き箱５０の前記連結孔６０ｂを前記連結片６０ｃに差込む。図７６にその完成状態を示す。
【００６１】
本発明に係る折りたたみ可能な組立式横置き箱に使用する補強天板を、図７７〜図８４について説明する。
図７７、図７８に示すようにこの補強天板７０は、天板本体７１の幅方向の両側に天板本体７１とほぼ等しい面積の折込み板７２，７３が折り目７２ａ，７３ａを介して一体に形成され、また長さ方向の両側には差込み片７４が折り目７４ａを介して一体に形成されている。
前記補強天板７０の組立は、図７９に示すように天板本体７１に重ねるように折り目７２ａを介して折込み板７２を折込んで、次いで図８０に示すように折り目７３ａを介して折込み板７３を折り返す。その上で、図８１に示すように折り目７４ａを介して両側の差込み片７４をほぼ垂直に立ち上げる。
【００６２】
図８２に示すように、前記両側の差込み片７４をほぼ垂直に立ち上げた状態の補強天板７０は、予め組み立てられた組立式横置き箱１０の両側の前記第１側板１２，１２と内側板１７との隙間に前記差込み片７４を差込むことにより、図８３に示すように一体的に組み付けられる。
図８４は２段に組み付けた組立式横置き箱１０の上端部分に、前記補強天板７０を組み付けた状態を示す。
以上の構成からなる補強天板７０によれば、組立式横置き箱１０の上端部分の強度を大幅に向上させることができ、多少の重量物を置いても該補強天板７０が変形することはほとんどない。
【００６３】
以上の各構成からなる本発明の折りたたみ可能な組立式横置き箱は、運搬や保管などをする際に、展開状態から簡単に平板状に折りたたむことができ、かつ折りたたんだ状態が非常にコンパクトなので、搬送に便利なだけでなく、例えばこれを商品として店頭に並べる場合にも場所をとらないので大きなメリットを発揮する。
また、展開状態から平板状に折りたたむ場合の折り目も、ほとんど組立式横置き箱の強度には影響のない部位に形成してあるので、組立状態で運搬や保管などをする際にも強度上の問題はなんら生じない。
【産業上の利用可能性】
【００６４】
本発明によれば、衣服や靴類、その他の大小さまざまな製品を別途用意した引出しに入れ、この引出しを出し入れ可能に収納するのに非常に便利な折りたたみ可能な組立式横置き箱を提供することができる。
その使用目的も、単なる保管は搬送のみならず、押入れや物置への収納保管や積み重ね、あるいはその他の種々の目的に使用することができる。
【００６５】
また、本発明に係る折りたたみ可能な組立式横置き箱は、厚板紙、段ボール又は合成樹脂板材からなる板状材をもって形成することができ、前記種々の用途に応じた素材で形成することができる。
【符号の説明】
【００６６】
１０  組立式横置き箱
１０ａ  引出し
１１  底板
１１ａ，１１ａ，１１ｂ，１１ｃ  折り目
１２，１２  第１側板
１２ａ，１２ａ  折り目
１５，１６  第２側板
１５ａ，１５ａ，１６ａ，１６ａ  折り目
１７−１，１７−２  内側板
１７ａ  長孔
１７ｂ  係合突起
１７ｃ  長孔
１７ｄ  差込み片
１８  第２側板折込み板
１８ａ  折り目
１８ｂ  延長片
１９  第１側板折込み板
１９ａ  係合突起
１９ｂ  凹溝
２０ａ  連結片
２０ｂ  連結孔
３０  組立式横置き箱
３０ａ  引出し
３１  底板
３１ａ，３１ｂ，３１ｃ  折り目
３２，３２  第１側板
３２ａ，３２ａ  折り目
３５，３６  第２側板
３５ａ，３５ａ，３６ａ，３６ａ  折り目
３７−１，３７−２  内側板
３７ｂ  テーパ片
３７ｃ  切欠き
３８  第２側板折込み板
３８ｂ  折り目
３８ｃ  延長片
３９  第１側板折込み板
３９ａ  係合突起
３９ｂ  凹溝
４０ａ  連結片
４０ｂ  連結孔
５０  組立式横置き箱
５１  底板
５１ａ，５１ａ，５１ｂ，５１ｃ  折り目
５２，５２  第１側板
５２ａ，５２ａ  折り目
５５，５６  第２側板
５５ａ，５５ａ，５６ａ，５６ａ  折り目
５７−１，５７−２、５７−３  内側板
５７−３ａ  切込み
５８  第２側板折込み板
５８ａ、５８ｂ  折り目
５９  第１側板折込み板
５９ａ  係合突起
６０ａ  連結片
６０ｂ  連結孔
６０ｃ  連結片
６１  補強板
７０  補強天板
７１  天板本体
７２，７３  折込み板
７２ａ，７３ａ  折り目
７４  差込み片
７４ａ  折り目
【図１】
2014040262.tif 000003
【図２】
2014040262.tif 000004
【図３】
2014040262.tif 000005
【図４】
2014040262.tif 000006
【図５】
2014040262.tif 000007
【図６】
2014040262.tif 000008
【図７】
2014040262.tif 000009
【図８】
2014040262.tif 000010
【図９】
2014040262.tif 000011
【図１０】
2014040262.tif 000012
【図１１】
2014040262.tif 000013
【図１２】
2014040262.tif 000014
【図１３】
2014040262.tif 000015
【図１４】
2014040262.tif 000016
【図１５】
2014040262.tif 000017
【図１６】
2014040262.tif 000018
【図１７】
2014040262.tif 000019
【図１８】
2014040262.tif 000020
【図１９】
2014040262.tif 000021
【図２０】
2014040262.tif 000022
【図２１】
2014040262.tif 000023
【図２２】
2014040262.tif 000024
【図２３】
2014040262.tif 000025
【図２４】
2014040262.tif 000026
【図２５】
2014040262.tif 000027
【図２６】
2014040262.tif 000028
【図２７】
2014040262.tif 000029
【図２８】
2014040262.tif 000030
【図２９】
2014040262.tif 000031
【図３０】
2014040262.tif 000032
【図３１】
2014040262.tif 000033
【図３２】
2014040262.tif 000034
【図３３】
2014040262.tif 000035
【図３４】
2014040262.tif 000036
【図３５】
2014040262.tif 000037
【図３６】
2014040262.tif 000038
【図３７】
2014040262.tif 000039
【図３８】
2014040262.tif 000040
【図３９】
2014040262.tif 000041
【図４０】
2014040262.tif 000042
【図４１】
2014040262.tif 000043
【図４２】
2014040262.tif 000044
【図４３】
2014040262.tif 000045
【図４４】
2014040262.tif 000046
【図４５】
2014040262.tif 000047
【図４６】
2014040262.tif 000048
【図４７】
2014040262.tif 000049
【図４８】
2014040262.tif 000050
【図４９】
2014040262.tif 000051
【図５０】
2014040262.tif 000052
【図５１】
2014040262.tif 000053
【図５２】
2014040262.tif 000054
【図５３】
2014040262.tif 000055
【図５４】
2014040262.tif 000056
【図５５】
2014040262.tif 000057
【図５６】
2014040262.tif 000058
【図５７】
2014040262.tif 000059
【図５８】
2014040262.tif 000060
【図５９】
2014040262.tif 000061
【図６０】
2014040262.tif 000062
【図６１】
2014040262.tif 000063
【図６２】
2014040262.tif 000064
【図６３】
2014040262.tif 000065
【図６４】
2014040262.tif 000066
【図６５】
2014040262.tif 000067
【図６６】
2014040262.tif 000068
【図６７】
2014040262.tif 000069
【図６８】
2014040262.tif 000070
【図６９】
2014040262.tif 000071
【図７０】
2014040262.tif 000072
【図７１】
2014040262.tif 000073
【図７２】
2014040262.tif 000074
【図７３】
2014040262.tif 000075
【図７４】
2014040262.tif 000076
【図７５】
2014040262.tif 000077
【図７６】
2014040262.tif 000078
【図７７】
2014040262.tif 000079
【図７８】
2014040262.tif 000080
【図７９】
2014040262.tif 000081
【図８０】
2014040262.tif 000082
【図８１】
2014040262.tif 000083
【図８２】
2014040262.tif 000084
【図８３】
2014040262.tif 000085
【図８４】
2014040262.tif 000086